(57)【特許請求の範囲】
【請求項１】
ハンドル頭部（２）、ハンドル本体（３）、及び、特にハンドストラップ又はグローブの形状の、手保持デバイスを締結するためのフック状デバイス（４）を有する、特に、トレッキングポール、ノルディックウォーキングポール、アルペンスキーポール、又はクロスカントリースキーポールのための、ポールハンドル（１）であって、
上方から前記フック状デバイス（４）に挿入され、かつ、前記手保持デバイスに設けられる、ストラップ形状、リング形状、又はアイレット形状のデバイスが、前記フック状デバイス（４）に自動ロック式で固定されるように、変位可能な、旋回可能な、又は回転可能な掛止手段（５）が前記フック状デバイス（４）の領域に配置され、
前記フック状デバイス（４）は、前記ポールハンドル（１）の頂部領域又は前記ハンドル頭部（２）の手の側（Ｈ）に配置され、
前記フック状デバイス（４）は、前記ハンドル本体（３）から前記手の側（Ｈ）にずれて配置され、それにより挿入スロット（６）を形成するか又は前記ハンドル本体（３）の切り込みとして構成される保持マンドレル又は保持ピンを備え、
前記掛止手段は、支持された位置において、前記ストラップ形状、リング形状、又はアイレット形状のデバイスのための狭められた領域（７）を下向きの方向で規定する保持突起（５）の形状で実現され、そして、
前記ハンドル頭部（２）及び／又は前記ハンドル本体（３）において上方から凹み（８）が設けられ、前記凹みには、変位可能及び／もしくは回転可能に設置されるロックブロック（９）が配置され、前記ロックブロック（９）の上又は中に前記掛止手段（５）が配置され、
前記ロックブロック（９）がその上側に作動領域（１０）を含み、前記作動領域（１０）は、少なくとも部分的に前記ハンドル頭部（２）を形成し、かつ、前記手の側（Ｈ）の後部ハンドル頭部領域（２ａ）において、前記挿入スロット（６）へのアクセスを閉鎖することなく少なくとも部分的に前記挿入スロット（６）の頂部と係合するとともに、
前記作動領域（１０）は、前記手の側（Ｈ）の後部ハンドル頭部領域（２ａ）において、
延長部（１０ｃ）を含み、
前記挿入スロット（６）は、前記掛止手段（５）が前記フック状デバイス（４）に支持されている静止位置と、前記掛止手段（５）が少なくとも部分的に前記挿入スロット（６）を解放する解放位置との両方で、前記作動領域の前記延長部（１０ｃ）によって少なくとも部分的に係合されていることを特徴とする、前記ポールハンドル（１）。
【請求項２】
前記作動領域（１０）は前記ハンドル頭部（２）の上部閉鎖を形成し、前記作動領域（１０）は、前記ハンドル頭部（２）の一方の側壁（１８）の頂部と係合することを特徴とする、請求項１に記載のポールハンドル（１）。
【請求項３】
前記作動領域（１０）は前記ハンドル頭部（２）の上部閉鎖を形成し、前記作動領域（１０）は、前記ハンドル頭部（２）の両側の側壁（１８）の頂部と係合し、かつ、前部ハンドル頭部領域（２ｂ）の前記ハンドル頭部（２）の下向きに傾斜した側面（１５）を覆うことを特徴とする、請求項１に記載のポールハンドル（１）。
【請求項４】
前記延長部（１０ｃ）は、水平方向（Ｒ）に沿ってポールハンドル長手軸（Ｓ）を横切るように延びることを特徴とする、請求項１〜３のいずれか一項に記載のポールハンドル（１）。
【請求項５】
前記延長部（１０ｃ）は、その手の側の端部に、ポールハンドル長手軸（Ｓ）と前記ロックブロック（９）の回転軸（１１）とを結ぶ平面（Ｅ３）に対して９５〜１２０°、又は１００〜１０５°の角度（α）を成して上向きに延びる上向きに傾斜した側面（１７）を含むことを特徴とする、請求項４に記載のポールハンドル（１）。
【請求項６】
前記作動領域（１０）は、その最も幅広な点において、前記ハンドル頭部（２）のその最も幅広な点における幅とほぼ同じ大きさの、又は少なくとも同じ大きさの、又はそれよりも大きな幅（ｂ１）を含むことを特徴とする、請求項１〜５のいずれか一項に記載のポールハンドル（１）。
【請求項７】
前記作動領域（１０）は、その最も幅広な点において、０．７〜２．５ｃｍ、又は約１〜２ｃｍの幅（ｂ１）を含むことを特徴とする、請求項６に記載のポールハンドル（１）。
【請求項８】
前記作動領域（１０）が、前部ハンドル頭部領域（２ｂ）において、前記前部ハンドル頭部領域（２ｂ）の前記ハンドル頭部（２）よりも使用者の移動の方向（Ｌ）にさらに延びることを特徴とする、請求項１〜７のいずれか一項に記載のポールハンドル（１）。
【請求項９】
前記ロックブロック（９）は、ポールハンドル長手軸（Ｓ）に対して垂直に、かつ、使用者の移動の方向（Ｌ）を横切るように配置された水平な回転軸（１１）の周りに回転可能であるように、前記ハンドル頭部（２）に設置されることを特徴とする、請求項１〜８のいずれか一項に記載のポールハンドル（１）。
【請求項１０】
前記ハンドル頭部（２）の側壁（１８）に隣接する前記作動領域（１０）の底部エッジ（１９）及びその位置における前記側壁（１８）は、少なくとも一部の領域で、前記ロックブロック（９）の前記回転軸（１１）の周りの円弧（Ｂ１）を形成し、０．５〜３．５ｃｍ又は０．５〜１．８ｃｍの半径（ｒ１）を有する円（Ｋ１）を規定することを特徴とする、請求項９に記載のポールハンドル（１）。
【請求項１１】
前記ロックブロック（９）は、前記作動領域（１０）と一体部品で実現されるか、又は、前記作動領域（１０）は、前記ロックブロック（９）に一体形成されることを特徴とする、請求項１〜１０のいずれか一項に記載のポールハンドル（１）。
【請求項１２】
前記作動領域（１０）は、ポールハンドル長手軸（Ｓ）と使用者の移動の方向（Ｌ）とを結ぶ平面（Ｅ１）に対して凸状に実現され、前記ポールハンドル長手軸（Ｓ）に対して垂直に延びる平面（Ｅ２）に対しても凸状に実現されることを特徴とする、請求項１〜１１のいずれか一項に記載のポールハンドル（１）。
【請求項１３】
前記作動領域（１０）は、その上部側に、使用者の指が滑るのを防止するのに適している構造部（１６）を含むことを特徴とする、請求項１〜１２のいずれか一項に記載のポールハンドル（１）。
【請求項１４】
前記作動領域（１０）は、その上部側に、使用者の指が滑るのを防止するのに適している肋状部からなる構造部（１６）を含み、前記構造部（１６）は、後部の手の側のハンドル頭部領域（２ａ）及び前部ハンドル頭部領域（２ｂ）の両方において配置されることを特徴とする、請求項１〜１３のいずれか一項に記載のポールハンドル（１）。
【請求項１５】
前記作動領域（１０）は、前部ハンドル頭部領域（２ｂ）において下向きのアーチ形であるように実現されることを特徴とする、請求項１〜１４のいずれか一項に記載のポールハンドル（１）。
【請求項１６】
前記作動領域（１０）は、前部ハンドル頭部領域（２ｂ）において下向きのアーチ形であるように実現され、さらに前記手の側の後部ハンドル頭部領域（２ａ）においてもアーチ形であるように実現されることを特徴とする、請求項１〜１５のいずれか一項に記載のポールハンドル（１）。
【請求項１７】
前記作動領域（１０）は、前部ハンドル頭部領域（２ｂ）及び／又は前記手の側の後部ハンドル頭部領域（２ａ）で使用者の移動の方向（Ｌ）に収斂するように実現されることを特徴とする、請求項１〜１６のいずれか一項に記載のポールハンドル（１）。
【請求項１８】
前記作動領域（１０）は、前部ハンドル頭部領域（２ｂ）において、使用者の移動の方向（Ｌ）に、前記ハンドル頭部（２）と重なる延長部（１０ｄ）を含むことを特徴とする、請求項１〜１７のいずれか一項に記載のポールハンドル（１）。
【請求項１９】
前記作動領域（１０）は、前部ハンドル頭部領域（２ｂ）において、使用者の移動の方向（Ｌ）に、１〜３．５ｃｍ、又は１．５〜２．８ｃｍ、前記ハンドル頭部（２）と重なる延長部（１０ｄ）を含むことを特徴とする、請求項１〜１８のいずれか一項に記載のポールハンドル（１）。
【請求項２０】
前記作動領域（１０）は、前部ハンドル頭部領域（２ｂ）において、ポールハンドル長手軸（Ｓ）に対して水平な使用者の移動の方向（Ｌ）において延びるまっすぐな部分（１０ａ）を含み、かつ、前記作動領域（１０）は、前記前部ハンドル頭部領域（２ｂ）において、前記まっすぐな部分（１０ａ）につながりかつ下向きに曲げられた端部（１０ｂ）を含むことを特徴とする、請求項１〜１９のいずれか一項に記載のポールハンドル（１）。
【請求項２１】
前記作動領域（１０）は、前部ハンドル頭部領域（２ｂ）において、ポールハンドル長手軸（Ｓ）に対して水平な使用者の移動の方向（Ｌ）において、１．０〜３．５ｃｍ、又は、１．５〜３．５ｃｍ、又は、２〜３ｃｍの長さ（ａ）に渡って延びるまっすぐな部分（１０ａ）を含み、かつ、前記作動領域（１０）は、前記前部ハンドル頭部領域（２ｂ）において、前記まっすぐな部分（１０ａ）につながりかつ下向きに曲げられた端部（１０ｂ）を含むことを特徴とする、請求項１〜２０のいずれか一項に記載のポールハンドル（１）。
【請求項２２】
前記掛止手段（５）は、保持突起（５）の形状で実現され、かつ、前記フック状デバイスに（４）対して支持された位置において、前記掛止手段（５）は、前記ストラップ形状、リング形状、又はアイレット形状のデバイス用の狭められた領域（７）を下方に規定することを特徴とする、請求項１〜２１のいずれか一項に記載のポールハンドル（１）。
【請求項２３】
前記掛止手段（５）は、前記ロックブロック（９）上もしくは前記ロックブロック（９）内に配置される保持突起（５）の形状で実現されるか、又は、前記ロックブロック（９）と一体部品で実現される保持突起（５）の形状で実現され、かつ、前記フック状デバイスに（４）対して支持された位置において、前記掛止手段（５）は、前記ストラップ形状、リング形状、又はアイレット形状のデバイス用の狭められた領域（７）を下方に規定することを特徴とする、請求項１〜２２のいずれか一項に記載のポールハンドル（１）。
【請求項２４】
前記ロックブロック（９）は、ばね（１２）によって、前記手の側（Ｈ）に配置された前記フック状デバイス（４）に対して支持されており、前記ばね（１２）は、前記ロックブロック（９）の凹み（１３）に配置され、前記凹み（１３）は、前記ロックブロック（９）の前部領域に配置され、前記前部領域は、前記フック状デバイス（４）から使用者の移動の方向（Ｌ）に離れる方向に向けられていることを特徴とする、請求項１〜２３のいずれか一項に記載のポールハンドル（１）。
【請求項２５】
前記ロックブロック（９）は、板ばね（１２）によって、前記手の側（Ｈ）に配置された前記フック状デバイス（４）に対して支持されており、前記ばね（１２）は、前記ロックブロック（９）の凹み（１３）に配置され、前記凹み（１３）は、前記ロックブロック（９）の前部領域に配置され、前記前部領域は、前記フック状デバイス（４）から使用者の移動の方向（Ｌ）に離れる方向に向けられており、前記ばね（１２）は、前記ハンドル頭部（２）の前記凹み（８）において前記ハンドル頭部（２）の内壁（１４）に対して支持されていることを特徴とする、請求項１〜２４のいずれか一項に記載のポールハンドル（１）。
【請求項２６】
前記ロックブロック（９）は、外側から前記作動領域（１０）を介して前記ロックブロック（９）の回転軸（１１）の周りに前記ばね（１２）の力に抗して傾斜可能であり、それにより自動ロックが解除されることを特徴とする、請求項２４又は２５に記載のポールハンドル（１）。
【請求項２７】
請求項１〜２６のいずれか一項に記載のポールハンドル（１）を有するポール。
【請求項２８】
前記ポールは、ウォーキングポール、トレッキングポール、アルペンスキーポール、クロスカントリースキーポール、又はノルディックウォーキングポールであることを特徴とする、請求項２７に記載のポール。
【発明の詳細な説明】
【技術分野】
【０００１】
本発明は、特に、ウォーキングポール、トレッキングポール、アルペンスキーポール、クロスカントリースキーポール、又はノルディックウォーキングポールのための、特にハンドストラップ又はグローブの形状である、手保持デバイスを締結するためのフック状デバイスを備えたハンドル本体を有するポールハンドルに関する。この場合、上方からフック状デバイスに挿入され、かつ、手保持デバイス上に設けられる、ストラップ形状、リング形状、又はアイレット形状のデバイスが、フック状デバイスに自動ロック式で固定されるように、掛止手段が、フック状デバイスの領域に配置される。
【背景技術】
【０００２】
国際公開第２００６／０６６４２３号は、手保持デバイスを締結する保持用マンドレルを有するポールハンドルを開示する。特に、ウォーキングポール、トレッキングポール、アルペンスキーポール、クロスカントリーポール、及びノルディックウォーキングポールのための当該ポールハンドルの場合、ハンドル本体と、特にハンドストラップ又はグローブの形状の手保持デバイスを締結するためのフック状デバイスがある。実質的に上方からフック状デバイスに挿入され、かつ、手保持デバイスに設けられる、ストラップ形状、リング形状、又はアイレット形状のデバイスが、フック状デバイスに自動ロック式で固定されるように、変位可能又は回転可能な掛止手段がフック状デバイスの領域に配置される。これらの利点すべてをもってしても、当該文書に記載される設計は、とりわけ、フック状デバイスによりポールハンドルに形成されるスロット、又は解放ボタンとこの解放ボタンが収容されているハンドルの凹みの壁との間の隙間に、例えば転倒の際に、泥又は雪が入り込み得るという欠点を有する。このことにより、特に凍結点未満の温度では、例えば氷が形成された結果、掛止機構が閉塞する可能性があり、又はアイレット形状のデバイスが掛止できなくなるか、もしくはアイレット形状のデバイスが解放できなくなる可能性があり、後者は転倒が起こった場合に安全上のリスクとなり得る。加えて、図４及び図５に関連して記載されている当該文書の実施形態の掛止機構は、とりわけ、ハンドル頭部が非対称な形状であるため、便利な方法、例えば、親指を用いてではなく、他方の手を用いて、又は特に扱いが熟練している場合には、人差し指を用いて作動ボタンを作動させることによってのみ解放可能である。
【先行技術文献】
【特許文献】
【０００３】
【特許文献１】国際公開第２００６／０６６４２３号
【発明の概要】
【課題を解決するための手段】
【０００４】
本発明の目的は、クロスカントリーのアスリート、特に、中でもバイアスロンのアスリートのための、上記先行技術の欠点を克服するポールハンドルを提供することである。
【０００５】
当該目的は、請求項１に記載のポールハンドルにより達成される。
【０００６】
本発明に従ったポールハンドルは、特に、トレッキングポール、ノルディックウォーキングポール、アルペンスキーポール、又はクロスカントリーポールに適している。ポールハンドルは、ハンドル頭部及びハンドル本体、ならびに、特にハンドストラップ又はグローブの形状の、手保持デバイスを締結するためのフック状デバイスを含む。
【０００７】
実質的に上方からフック状デバイスに挿入され、かつ、手保持デバイス上に設けられる、ストラップ形状、リング形状、又はアイレット形状のデバイスが、フック状デバイスに自動ロック式で固定されるように、少なくとも１つの変位可能な、旋回可能な、又は回転可能な掛止手段がフック状デバイスの領域に配置される。
【０００８】
この場合、フック状デバイスは、ポールハンドルの、ハンドル本体の頂部領域又はハンドル頭部において手の側に配置される。フック状デバイスは、ハンドル本体から手の側にずれて配置された保持マンドレル又は保持ピンを備え、それにより挿入スロット又はハンドル本体の切り込みを実現する。保持マンドレル又は保持ピンは、ポールハンドル長手軸に実質的に平行に配置されてよいが、上方から、ポールハンドル長手軸に平行にではなく、わずかに上向きの角度からアクセス可能であるように、ある程度後方へ、すなわち、ポール軸と移動の方向とを結ぶ平面において角度βだけ後ろ側又は手の側へと傾斜していてもよい。その結果、対応する開口角度β（図１ｂの反時計回りの正符号で理解される）は、好ましくは、０〜１５°の範囲内、特に好ましくは、５〜１２°の範囲内であり、ここで、０°とは実際、ポールハンドル長手軸に平行であることを意味する。このような保持マンドレル又は保持ピンのわずかな傾斜、すなわち、β＞０°である場合は、とりわけ、狭められたストラップ／アイレットを有するポールを利用する場合に、より良好な力の導入をもたらす。フック状デバイスは、ハンドル本体に一体形成されることが好ましい。その延長軸に対して断面で見たときに、保持マンドレル又は保持ピンは、円形断面を含むことができるが、楕円形断面を含んでいてもよい。保持マンドレル又は保持ピンの特に好ましい実施形態は、断面がある程度Ｄ形状であり、扁平な領域は手の方向を指し示すという点を特徴とする。保持マンドレル又は保持ピンのこのような実施形態が、ストラップ／アイレットと一緒に使用され、このストラップ／アイレットはしたがってＤ形状であるように実現されるか、又は、対応する剛性の扁平帯域が直接手を向くように手保持デバイスに締結される場合、ハンドストラップのための保持マンドレル／保持ピンに対する回転防止デバイスは、保持マンドレル／保持ピンに対するストラップ／アイレットの２つの扁平領域が当接した結果生み出される。有利には、挿入スロットの深さは、保持マンドレル又は保持ピンの幅及び厚さよりも大きい。好ましい実施形態に従えば、フック状デバイスは、３〜１５ｍｍの範囲内、好ましくは、４〜１０ｍｍの範囲内の幅を含み、特に好ましくは、フック状デバイスは、少なくとも部分的に、ポールハンドル軸に対して垂直な実質的に楕円形又は矩形の断面を含み、適用可能である場合は、丸みを帯びたエッジを有する。挿入スロットは、典型的には、５〜５０ｍｍの範囲内、好ましくは、１０〜３０ｍｍの範囲内の深さ（ポールの長手軸に対して実質的に平行であるか又はわずかに傾斜しているスロットの長さとして理解されるべきである）を有する。
【０００９】
掛止手段は、保持突起又は掛止突起の形状で実現され、これは、支持された位置において、下方向において、ストラップ形状、リング形状、又はアイレット形状のデバイスのための狭まった領域又は閉じられた領域を規定する。この目的を達成するために、ハンドル頭部及び／又はハンドル本体において上方から凹みが設けられ、この凹みの中には、変位可能及び／又は回転可能に設置されるロックブロックが配置され、その上又は中に、掛止手段が配置される。本発明の核心は、ロックブロックがその上側に、少なくとも部分的にハンドル頭部を形成し、かつ、手の側の後部ハンドル頭部領域において、挿入スロットへのアクセスを閉鎖することなく少なくとも部分的に挿入スロットの頂部と係合する作動領域を含むことである。
【００１０】
換言すると、作動領域は挿入スロットと重なるが、作動領域は、手の側、すなわち後方から、又は上方からある角度で挿入スロットにアクセス可能なままとしており、その結果、手保持デバイスのストラップ形状、リング形状、又はアイレット形状のデバイスは、保持マンドレルから引っ張られる、すなわち誘導されることができる。結果として、挿入スロットは、保持突起が保持マンドレルに支持されている静止位置と、作動領域の移動の結果、保持突起が挿入スロットから外れる解放位置との両方で外側からアクセス可能である。
【００１１】
好ましい実施形態によると、作動領域はハンドル頭部の頂部閉鎖を形成し、その際、作動領域は、ハンドル頭部の一方の側壁、好ましくは、両方の外側壁の頂部と係合することが好ましい。作動領域と対応する側壁との間にある当該スロットを通って水、泥、又は雪が進入するのを防止するために、作動領域の下部エッジは、これに対応して例えば段状に実現でき、下部エッジに隣接する側壁はこれに対応して段状であってもよく、又は当該領域において迷路状のエッジを実現することも可能である。作動領域及び側壁はここでブロックの旋回点の周りに同じ半径を有して実現されるため、小さな許容誤差で良好なシールを得ることができる。有利には、作動領域はさらに、前部ハンドル頭部領域においてハンドル頭部の下向きに傾斜した側面を覆う。
【００１２】
特に好ましい実施形態では、手の側、すなわち後方に向いている後部ハンドル頭部領域において、作動領域は延長部を含み、延長部は、（使用者の移動の方向とは反対の）水平方向に沿ってポールハンドル長手軸を実質的に横切るように延びることが好ましく、かつ、少なくとも部分的に挿入スロットと重なる。その結果、挿入スロットは、掛止手段がフック状デバイスに支持されている静止位置と、掛止手段が少なくとも部分的に挿入スロットを解放する解放位置との両方で、作動領域の延長部と少なくとも部分的に重なっている。
【００１３】
延長部がその手の側の端部に、ポールハンドル長手軸と回転軸とを結ぶ平面に対して９５〜１２０°、好ましくは１００〜１０５°の角度を成して上向きに延びる上向きに傾斜した側面を含む場合、特に有利である。その結果、手保持デバイスの結合のための、すなわちストラップ形状、リング形状、又はアイレット形状のデバイスの挿入のためのさらなる空間が保持マンドレルに接して残る。
【００１４】
作動領域は、その最も幅広な点において、０．７〜２．５ｃｍ、特に好ましくは約１〜２ｃｍの幅を含むことが好ましい。作動領域は、その最も幅広な点において、ハンドル頭部のその最も幅広な点における幅とほぼ同じ大きさの、又は好ましくは少なくとも同じ大きさの、又は好ましくはそれよりもいくらか大きな幅、すなわち、それよりも合計で１〜５ｍｍ大きな幅を含むことが好ましい。その結果、作動領域はある程度までハンドル頭部を「覆う」。先行技術のさまざまな実施形態と対照的に、ここでの作動領域はハンドル頭部に埋め込まれない。これの利点は、泥も雪もハンドル頭部の作動領域と側壁との間のハンドル頭部凹みに入り込めないということである。
【００１５】
加えて、作動領域が、前部ハンドル頭部領域において、ハンドル頭部の前部ハンドル頭部領域よりも移動の方向にさらに延びる場合に有利である。ここでも、重なることによって、ハンドル頭部凹みへの泥又は雪の侵入が回避される。
【００１６】
さらなる好ましい実施形態によると、ロックブロックは、ポールハンドル長手軸に対して垂直に、好ましくは移動の方向を横切るように配置された水平な回転軸の周りに回転可能であるように、ハンドル頭部に設置される。これは、ロックブロック及びハンドル頭部の側壁を通って突出する横ピンによって実現されることが好ましく、この横ピンによってロックブロックがハンドル頭部に設置される。
【００１７】
ハンドル頭部の１つの側壁に、好ましくは、その位置でハンドル頭部の２つの側壁に隣接する作動領域の底部エッジは、少なくとも一部の領域で、ロックブロックの回転軸を中心とした円弧を形成することが好ましい。この場合、０．５〜３．５ｃｍ、好ましくは、０．５〜１．５ｃｍの範囲内の半径を有する円が規定されることが好ましい。
【００１８】
ロックブロックは、作動領域と一体部品で実現されても、又はロックブロックに一体形成されてもよい。その結果、当該実施形態において、ある程度までは作動領域はロックブロックの最上部部分を形成する。この場合、作動領域はロックブロックよりも柔らかい、例えば、よりグリップしやすい特性を有する材料で実現されてもよい。
【００１９】
ポールハンドルを側面から、すなわち、ポールハンドル長手軸と移動の方向とを結ぶ平面に関連して又はこれに対して見たときに、作動領域は、凸状に実現される、すなわち下向きに、又はアーチ状に湾曲していることが好ましい。作動領域は、少なくとも前部ハンドル頭部領域、さらには手の側の後部ハンドル頭部領域においても下向きのアーチ形であるように実現されることが好ましい。これにより、ハンドル頭部は例えば、支持するときに、上方から快適にグリップすることができる。これにより、ロックブロック／作動領域は、多くの方法で、すなわち、同じ手の又はもう一方の手の親指を用いて、人差し指を用いて作動できる。
【００２０】
特に好ましい実施形態によると、これに追加として、又はこれの代替として、作動領域は、凸状に実現される、すなわちポールハンド長手軸に対して垂直に延びる平面に関連して又はこの平面に対して、下向きに又はアーチ状に湾曲している。
【００２１】
特にグリップしやすい実施形態は、その頂部表面に、使用者の指が滑るのを回避するのに適している構造部、特に、肋状部を含む作動領域を含む。この場合、構造部は、作動領域の後部、すなわち手の側のハンドル頭部領域と、前部ハンドル頭部領域との両方において配置されていることが好ましい。
【００２２】
人間工学的な形状及び材料の節減のため、さらなる好ましい実施形態は、作動領域が、上から見たときに、前部ハンドル頭部領域及び／又は手の側の後部ハンドル頭部領域において移動の方向に収斂するように実現されることを特徴とする。
【００２３】
さらなる好ましい実施形態は、前部ハンドル頭部領域において、作動領域が、移動の方向に、好ましくは１〜３．５ｃｍ、好ましくは１．５〜２．８ｃｍの範囲でハンドル頭部と重なる延長部をさらに含むという点を特徴とする。当該実施形態は例えば、バイアスロンにおいて使用するのに特に適している。アスリートがゆるくポールを持つ場合、ポールハンドルは、アスリートの手を滑り、ある程度「止めキャッチ」として機能する当該延長部の下部エッジにおいて準備位置で止め具に到達できる。止め具位置では、アスリートのハンドストラップはここで、アスリートがほぼ「見えない」状態で、手保持デバイスをハンドル内に、又はストラップ形状、リング形状、もしくはアイレット形状の結合要素により保持マンドレルにかちっと引っ掛けることができるように、ポールハンドルの正確な高さに配置される。
【００２４】
当該機能は、特にポールハンドルにおいて有利に働き、その作動領域は前部ハンドル頭部領域において、ポールハンドル長手軸に対して実質的に水平な移動の方向において頂部表面に、好ましくは１．０〜３．５ｃｍの長さ、好ましくは１．５〜３．５ｃｍの長さ、特に好ましくは２〜３ｃｍの長さに渡って延びる実質的にまっすぐな部分を含む。このために、前部ハンドル頭部領域において、作動領域がまっすぐな部分につながり、かつ下向きに曲げられた端部を含む場合、特に有利である。前部ハンドル頭部領域における延長部の底部表面、すなわち、底部エッジにおける、ハンドル頭部に重なる下向きの湾曲は、使用者の指、特に、人差し指と実質的に少なくとも同じ円弧の半径を有する円の少なくとも部分的な円弧を描くことが好ましい。すると、端部は、延長部が止めキャッチとして最適であるように機能できるように、この端部がいくらか大きな曲率、すなわちより小さな円弧の半径を描くように曲げられる。加えて、延長部は、材料と、結果的に重量を節減する目的で少なくとも１つの材料切り欠き又は凹み又はくぼみを有することができる。
【００２５】
上述した掛止手段は、ロックブロック上もしくはロックブロック内に配置されることが好ましく、又はロックブロックと一体部品で実現される保持突起又は掛止突起の形状で実現されることが好ましい。保持突起は、例えば、ロックブロックの底部分を形成することができる。
【００２６】
この場合、当該保持突起は、フック状デバイスに対して支持された位置（ポール使用中の掛止機構の静止位置）において、ストラップ形状、リング形状、又はアイレット形状のデバイス用の狭められた領域を下方に規定する。その結果、ストラップ形状、リング形状、又はアイレット形状のデバイスは、作動領域を使用者の手の側への方向、すなわち後方（移動の方向とは反対）に回転／傾斜させた結果、掛止機構を解放することにより解放されるまで当該狭められた領域に捕捉されて保持される。
【００２７】
ロックブロックは、有利には、ばねによって、特に好ましくは板ばねによって、手の側に配置されたフック状デバイスに対して支持されている。この場合、ばねは、ロックブロックの凹みに配置されることが好ましく、この凹みは、ロックブロックの前部領域に配置されることが好ましく、当該前部領域は、移動の方向にフック状デバイスから離れる方に向けられている。当該好ましい実施形態では、ばねは、ハンドル頭部の凹み内でハンドル頭部の（前部）内壁に対して支持されている。これにより自動ロック式機構が可能となる。この目的のために、保持突起は、挿入方向において上から下までポールハンドル長手軸に対して平行な傾斜側面を含むことが好ましい。自動ロックを達成するには、使用者は手保持デバイスのストラップ形状、リング形状、又はアイレット形状のデバイスを保持マンドレル上の静止位置に誘導するだけでよく、保持突起は、ばねの力に抗して挿入スロットから外れ、ストラップ形状、リング形状、又はアイレット形状のデバイスが狭められた領域に捕捉されるやいなやはね戻る。
【００２８】
特に好ましい実施形態によると、ロックブロックは、作動領域によって外側から回転軸の周りにばねの力に抗して傾斜可能であり、これによって自動ロックを解除する。この目的のために、作動領域は使用者の片方の手の側に向けて傾斜される。これは、その手の人差し指によって、又は親指によって便利に達成できる。前部ハンドル頭部領域に延長部を有するバイアスロンスポーツ用の上記の変形例の場合には、止めキャッチの下に保持された人差し指をポールハンドル長手軸に沿って軸方向上方に移動させた結果、作動領域はさらに作動又は旋回できる。
【００２９】
加えて、ポールハンドルは、例えば、安全面の側面として自動解放用の機構を有することができる。このような自動解放は、例えば、国際公開第２００６／０６６４２３号に開示されているような別個の機構によって実現されてもよいが、これは、ばね１２の復元力に抗してストラップ／アイレットにおける大きな上向きの張力が十分にある場合にブロックが撓むことができるように、保持突起の底部領域が傾けられ、すなわち、保持マンドレルに向かってわずかに上向きに角度をつけて実現される結果、簡単に達成することもできる。
【００３０】
本発明は、前述の実施形態のうち１つに記載のポールハンドルを有するポール、特にウォーキングポール、トレッキングポール、アルペンスキーポール、クロスカントリースキーポール、又はノルディックウォーキングポールにさらに関する。
【００３１】
さらなる例示的実施形態は従属クレームに記述される。
【００３２】
本発明の好ましい実施形態は、単純に説明のためであり、限定として解釈されるべきではない図面によって以下に記述される。
【図面の簡単な説明】
【００３３】
【図１】図１は、第１の好ましい実施形態に係るポールハンドルの概略側面図を示し、図１ａは静止位置（すなわち、フック状デバイスに支持されている位置）にあるポールハンドルを示し、図１ｂは解放位置にあるポールハンドルを示す。
【図２】図２は、図１のポールハンドルの断面図を示し、図２ａは、図１ａの軸Ｂ−Ｂに沿った下からの断面図を示し、図２ｂは、図１ｂの軸Ｄ−Ｄに沿った下からの断面図を示す。
【図３】図３は、後方から、すなわち、手の側から見た場合の図１のポールハンドルの概略図を示す。
【図４】図４は、前方から、すなわち、移動の方向から見た場合の図１のポールハンドルの概略図を示す。
【図５】図５は、図１のポールハンドルの概略斜視図を示す。
【図６】図６は、図１のポールハンドルの図４の軸Ａ−Ａに沿った２つの断面図を示し、図６ａは、図１ａのポールハンドルの断面図を示し、図６ｂは同様に、図１ｂのポールハンドルの解放位置における軸Ａ−Ａに沿った断面図を示す。
【図７】図７は、上からの図１のポールハンドルの概略図を示し、図７ａは静止位置にあるポールハンドルを示し、図７ｂは解放位置にあるポールハンドルを示す。
【図８】図８は、第２の好ましい実施形態によるポールハンドルの概略側面図を示す。
【図９】図９は、図８のポールハンドルの概略斜視図を示す。
【図１０】図１０は、静止位置における図８のポールハンドルの軸Ｆ−Ｆに沿った下からの断面図を示す。
【図１１】図１１は、静止位置における図８のポールハンドルの上からの概略図を示す。
【図１２】図１２は、後方から、すなわち、手の側から見た場合の図８のポールハンドルの概略図を示す。
【図１３】図１３は、前方から、すなわち、移動の方向から見た場合の図８のポールハンドルの概略図を示す。
【図１４】図１４は、図８のポールハンドルの図１３の軸Ｅ−Ｅに沿った断面図を示す。
【発明を実施するための形態】
【００３４】
図１ａ〜図７ｂは、本発明の第１の好ましい実施形態によるポールハンドルを示す。これは特に、クロスカントリー又はノルディックウォーキングのスポーツに適している。この場合、手の側Ｈはポールハンドルの後ろ側であり、使用者は、この側からポールハンドル１をつかみ、この側から手保持デバイスがポールハンドル１に結合される。移動の方向Ｌは、使用者から見たときに前方Ｖを向いている。ポールチューブを受容するのに適している図示されているポールハンドル１は、ハンドル本体３及びハンドル本体の頂部につながるハンドル頭部２を含む。ポールチューブを収容するために、ポールハンドル１は、図４に見ることができる挿入開口部２０と、図６ａ、図６ｂに見ることができる凹み２１、すなわち、空洞又は盲穴を含む。ハンドル頭部２は、移動の方向Ｌと反対側の方向Ｒへと延びる手の側の、すなわち、後部ハンドル頭部領域２ａを含み、ポールが使用されているとき移動の方向Ｌに向きを合わせられる前部ハンドル頭部領域２ｂを含む。ハンドル頭部２は、その前部ハンドル頭部領域２ｂに下向きに傾斜した側面１５を有して実現される。ロックブロック９を受容するために設けられている凹み８は、ハンドル頭部２に上方から配置される。当該凹み８は、下方で境界が定められ、すなわち、ある程度までの盲穴として実現される。ロックブロック９は、ポールハンドル長手軸Ｓに対して垂直に配置された回転軸１１の周りに回転可能又は傾斜可能又は旋回可能であるように、ハンドル頭部２の当該凹み８に設置される。回転軸１１は、ハンドル頭部２の側壁１８及びロックブロック９を通って突出する横ピンによって実現される。ロックブロック９の傾斜は、作動領域１０を手の側Ｈに向かって回転方向Ｄへ作動させた結果達成される。当該作動領域１０は、ハンドル頭部２の頂部表面、すなわち頂部閉鎖を成し、又は、ハンドル頭部２の側壁１８及び傾斜側面１５を覆う。加えて、作動領域１０は、前部ハンドル頭部領域２ｂよりも後部ハンドル頭部領域２ａでより大きな厚さｄを含む。本発明の代表的な例において、作動領域１０は、ポールハンドル長手軸Ｓを横切る方向においてハンドル頭部２の側壁１８と重なる。これは、作動領域１０が、作動領域１０の下においてハンドル頭部２の最も幅広な点における幅、すなわち、作動領域１０の下に収まるハンドル頭部２の２つの側壁１８の間の最大間隔よりも大きな幅をその最も幅広な点ｂ１において含むことを意味する。この場合、作動領域１０は、例えば、ポールハンドル長手軸Ｓに沿って見たときにハンドル頭部頂部表面の回転軸１１上に位置する領域において、その最も幅広な点ｂ１を含む。これは、特に図４、図７ａ、及び図７ｂに見ることができる。加えて、作動領域１０は、前部ハンドル頭部領域２ｂ及び後部ハンドル頭部領域２ａに収斂するように図示されている。
【００３５】
側面から、すなわち、移動の方向Ｌとポール長手軸Ｓとを結ぶ平面Ｅ１から見たときに、作動領域１０は、アーチ形又は湾曲した設計を含む。側面から見たときに当該凸状に湾曲した設計は、前述のように、同じ手で親指（後方から）及び人差し指（前方から）の両方による作動の選択のために重要である。当該湾曲を図示するために、半径ｒ１を有する円Ｋ１が図１ｂに加えられており、円Ｋ１の一部は、ハンドル頭部の頂部エッジの一部、したがって、作動領域１０の底部エッジ１９の一部によって描かれる。図示される例示的実施形態において、作動領域１０は、ポールハンドル長手軸Ｓに対して垂直にかつ移動の方向Ｌ及び回転軸１１を通る平面Ｅ２における湾曲した実現形態をさらに含むが、これは、図中では容易に見ることができない。加えて、本発明によるポールハンドル１は、ハンドル本体３の構成部品を形成するフック状デバイス４を含む。これは、ハンドル頭部２、すなわちハンドル本体３の頂部部分のスロット６によって実現される。当該挿入スロット６は、ストラップ形状、リング形状、又はアイレット形状のデバイスを使用者の手保持デバイスで受容するのに適している。
【００３６】
後部、すなわち手の側のハンドル頭部領域２ａにおいて、作動領域１０は、挿入スロット６と係合する延長部１０ｃを含み、挿入スロット６は手の側Ｈからアクセス可能である。図示される例示的実施形態において、延長部１０ｃは、ポールハンドル長手軸Ｓと移動の方向Ｌとを結ぶ平面Ｅ１中で測ったときにポールハンドル長手軸Ｓに対して約１０５°の角度αで上向きに傾斜されている／角度がつけられている側面１７を含む。
【００３７】
図１ａ又は図６ａの断面図は、静止位置にあるポールハンドル１を示す。これは、掛止手段５、すなわち、保持突起又は掛止突起が、フック状デバイス４に支持され、使用者の手保持デバイスのストラップ形状、リング形状、もしくはアイレット形状のデバイスのいずれかが、狭められた領域７に捕捉されて保持される、もしくは、手保持デバイスはポールハンドル１に結合されていないことを意味する。手保持デバイスは、静止位置において挿入スロット６に挿入でき、作動領域１０を作動させずとも自動ロック式でポールハンドル１に固定できる。
【００３８】
図１ｂ又は図６ｂの断面図は、解放位置にあるポールハンドル１を示す。図１ａの静止位置と比較すると、作動領域１０は、その底部エッジ１９をハンドル頭部の側壁１８に沿わせた状態で手の側に向かって後方に変位、すなわち傾斜している。その結果、延長部１０ｃは、静止位置にあるときよりも保持マンドレル４に重なり合っている。この場合、前部ハンドル頭部領域において、ハンドル頭部２の下向きに傾斜した側面１５の頂部エッジは、変位した結果わずかに飛び出、解放位置であっても、作動領域１０はハンドル頭部２を依然として実質的に完全に覆っている。当該解放位置は、一時的にだけ、すなわち、手保持デバイスがポールハンドル１から外れる間だけ存在する。これは、使用者が作動領域１０をばね１２の力に抗するように作動させた結果、ロックブロック９が傾斜し、ロックブロック９に一体形成された保持突起５が挿入スロット６から外れ、すなわち、スロット６からハンドル頭部の凹み８内へと旋回することにより達成される。結果として、掛止手段５は掛止領域を解放する、すなわち、狭められた又は閉じられた領域７と、狭められた領域７に掛止されているストラップ形状、リング形状、又はアイレット形状のデバイスとが外れ、すなわち、保持マンドレル４上のループが外され得る。図１ａのポールハンドル１の長手方向断面図が図６ａに示される。ロックブロック９を支持するために設けられる板ばね１２は、ロックブロック９の対応する前部凹み１３内で見えるように描写されている。当該ばねは、保持突起５に抗して後方に、すなわち手の側Ｈへ、また凹み８内におけるハンドル本体２の前部内壁１４に抗して前側Ｖへと荷重をかけられている。
【００３９】
作動領域１０の延長部１０ｃ及び解放動作のための作動領域１０の移動経路は、挿入スロット６へのアクセスが、少なくとも後方から前方への方向において、すなわち移動の方向Ｌと平行に、静止位置及び解放位置の両方で確実となるように設けられるか又は設定されている。
【００４０】
加えて、作動領域１０は、後部ハンドル頭部領域２ａ及び前部ハンドル頭部領域２ｂの両方においてその頂部表面に、掛止機構を解放するときにより滑りにくい表面を使用者に提供する構造部１６又は肋状部を含む。構造部１６は、使用者が手保持デバイスによりポールハンドル１に結合している手の親指及び人差し指の両方を用いて（又はもう一方の手の指を用いて）回転方向Ｄへと作動領域１０を作動できるように後部及び前部に配置される。構造部１６は、ロックブロック９の作動領域１０を通って突出する中間部分９ｂの延長部により形成されることが図６ａ及び図６ｂで見て取れる。図示される例示的実施形態において、ロックブロック９は、複数の部品で実現され、ロックブロック９が回転軸１１に沿う横ピンによりハンドル頭部２に設置されている底部分９ａを有し、底部分９ａは保持突起５及び板ばね１２を受容するための凹み１３を形成する。中間部分９ｂは、底部分９ａの頂部につながっているが、構造部としての役割を果たす延長部によって、底部分９ａと作動領域１０との接続を形成し、これは、ある程度まではロックブロック９の頂部部分を形成する。この場合、当該さまざまな部分９ａ、９ｂ、１０は、同一の又は異なる材料から形成されてもよく、異なる材料が使用される場合、ハンドル頭部２から突出する作動領域１０には、ハンドル頭部２の凹み８内に入り込むロックブロック９の部分９ａ、９ｂよりも柔らかい材料が適している。しかしながら、ロックブロック９は、一体部品で実現されてもよく、作動領域１０は、ロックブロック９の最上部部分として実現されるか、又はロックブロックに一体形成されるかもしくは締結される。
【００４１】
図２ｂから見て取ることができるように、保持マンドレル４は、断面で見たときに手の側Ｈを向く側に扁平部４ｂを含む。したがって、保持マンドレルは、ある程度Ｄ形状であり、まっすぐな領域は手の側を向いている。保持マンドレルの断面形状の当該設計は、ストラップ又はアイレット２４の回転を回避する又は完全に防止する目的で用いることができ、ストラップ又はアイレット２４は、図１ａ及び図１ｂにおいて、スロットの下端（図１ａでは狭められた領域７に捕捉されており、図１ｂでは、捕捉されておらず、スロットから外へ誘導されるように、ある程度準備されている）において図式的に示されている。これは、当該ストラップ又はアイレット２４も、ある程度Ｄ形状で実現される結果、２つのまっすぐな領域が互いに当接するように移動し、回転を防止することが可能である。手保持デバイスのストラップ又はアイレットのこのような設計は、ストラップ又はアイレットの締結領域を剛性で扁平に実現することにより簡単に実現することができ、これは、例えば、おそらく締結のみによっても保証できるが、さらに、追加のプラスチック材料要素又はストリップにより支持され得る。
【００４２】
導入部で述べたように、保持マンドレル４の軸２５は、ポールハンドル長手軸Ｓに平行に配置することできる。図１ｂに示すように、これは特定の用途のための好ましい設計であるが、保持マンドレル４の軸２５は、図１ｂによる描示の正の反時計回りに延びる角度βでわずかに後方に傾斜するように実現することも可能である。典型的には約１０°の範囲内である当該わずかな後方への傾斜は、特にスポーツに使用した場合、より良好な力の導入をもたらす。
【００４３】
図８〜図１４は、本発明の第２の好ましい例示的実施形態を示す。とりわけバイアスロンスポーツに特に適している当該ポールハンドル１は、掛止機構に関しては、先に説明され、図１〜図７ｂに示されるポールハンドルと同一の方法で実現される。したがって、同一の参照番号が同一の要素に選択された。第２の例示的実施形態は、第１の例示的実施形態と実質的には作動領域１０の設計のみが異なる。図８〜図１４の第２の好ましい例示的実施形態において、後部ハンドル頭部領域２ａの延長部１０ｃに加えて、作動領域１０は、前部ハンドル頭部領域２ｂにも延長部１０ｄをさらに含む。作動領域１０は、移動の方向Ｌにおいて後部延長部１０ｃにつながり、かつ１．５〜３．５ｃｍ、特に好ましくは２〜３ｃｍの範囲内の長さを含むまっすぐな部分１０ａによりその頂部表面において実現されており、下向きに湾曲した前端部１０ｂで終端する。この場合、ハンドル頭部２からの突出部は１〜２．５ｃｍである。前部延長部１０ｄの底部エッジ２３は、前部ハンドル頭部領域２ｂにおいて、また一部は頂部表面がまっすぐな部分１０ａの底部表面において、半径ｒ２を有する円Ｋ２のアーチ形部分を含み、円Ｋ２の円周部は、少なくとも使用者の手の人差し指周りに対応している。その結果、前部延長部１０ｄは、ポールハンドルをゆるくつかんだ使用者の手の人差し指のための「止めキャッチ」として機能し、人差し指が止めキャッチの止め具を見つけ、したがって手保持デバイスがポールハンドルに結合する正しい位置に手が到達するまで、手の内側の表面を通してポールハンドルを下方に滑らせることができる。したがって、使用者は、ある程度「見えない」状態でストラップ形状、リング形状、又はアイレット形状のデバイスを掛止できる。加えて、使用者は、使用者の人差し指が延長部１０ｄの底部エッジ２３に来たときに、親指を用いた頂部表面における作動領域１０の回転動作の結果によってだけではなく、軸方向に力を及ぼすことにより、解放機構を上向きに作動できる。加えて、前部延長部１０ｄは、その側面及び頂部表面において材料切り欠き又は凹み２２を含む。
【符号の説明】
【００４４】
１  ポールハンドル
２  ハンドル頭部
２ａ  手の側、後部ハンドル頭部領域
２ｂ  前部ハンドル頭部領域
３  ハンドル本体
４  フック状デバイス、保持マンドレル
４ａ  保持マンドレルの扁平部
５  掛止手段、保持突起
６  挿入スロット
７  狭められた領域
８  ２の凹み
９  ロックブロック
９ａ  ９の底部分
９ｂ  ９の中間部分
１０  作動領域、９の頂部部分
１０ａ  １０のまっすぐな部分
１０ｂ  １０の前端部
１０ｃ  １０の後部延長部
１０ｄ  １０の前部延長部
１１  ９の回転軸
１２  ばね、板ばね
１３  ９又は９ａの凹み
１４  ２の前部内壁
１５  ２の側面
１６  １０の構造部
１７  １０ｃの側面
１８  ２の側壁
１９  １０の底部エッジ
２０  ポールチューブ用の３の挿入開口部
２１  ポールチューブ用の３の凹み
２２  １０の材料切り欠き
２３  １０ｄの底部エッジ
２４  ストラップ／アイレット
２５  ４の軸
ａ  １０ａの長さ
α  １７の角度
β  Ｓと２５の間の角度
ｂ１  最も幅広な点における１０の幅
ｄ  １０ｃの厚さ
Ｂ１  １１の周りのＫ１の円弧
Ｂ２  ２３におけるＫ２の円弧
Ｄ  解放動作
Ｅ１  Ｓ及びＬを通る平面
Ｅ２  Ｓに対して垂直でありＬ及び１１を通る平面
Ｅ３  Ｓ及び１１を通る平面
Ｈ  後ろ側、手の側
Ｋ１  １１の周りの円
Ｋ２  １０ｂにより規定される円
Ｌ  移動の方向
ｒ１  １１の周りの円の半径
ｒ２  円の半径
Ｒ  移動の方向と反対側
Ｓ  ポールハンドル長手軸
Ｖ  前側
【図１ａ】
0006672295.tif 000002
【図１ｂ】
0006672295.tif 000003
【図２ａ】
0006672295.tif 000004
【図２ｂ】
0006672295.tif 000005
【図３】
0006672295.tif 000006
【図４】
0006672295.tif 000007
【図５】
0006672295.tif 000008
【図６ａ】
0006672295.tif 000009
【図６ｂ】
0006672295.tif 000010
【図７ａ】
0006672295.tif 000011
【図７ｂ】
0006672295.tif 000012
【図８】
0006672295.tif 000013
【図９】
0006672295.tif 000014
【図１０】
0006672295.tif 000015
【図１１】
0006672295.tif 000016
【図１２】
0006672295.tif 000017
【図１３】
0006672295.tif 000018
【図１４】
0006672295.tif 000019